(57)【要約】      （修正有）【課題】従来の本は寝転んで本を読む時姿勢に無理が生じたり肩や手が痛んできたりと読書を続けにくかった。姿勢に左右されないで読書を快適に続ける事ができる本の印刷パターンを提供する。【解決手段】連続する２ページに同じ内容を印刷し、右向に横になっている時に左ページ３を、左向の時には右ページ４を読むというように、どちらのページを読んでいっても読書が完了する仕組みとした。【選択図】図１
2011143700.tif 000002
【特許請求の範囲】
【請求項１】
本の全てのまたは一部の連続する２ページにおいて本文１の印字内容が同じである事を特徴とする本。
【請求項２】
本の全てのまたは一部の見開きで連続する左右の２ページについて本文１の印字内容が同じである事を特徴とする本。
【請求項３】
本の全てのまたは一部の連続する２ページにおいて、本文１の印字がいくつかにブロック分けして表示されている事を特徴とする請求項１または２に記載の本。
【請求項４】
本の全てのまたは一部の連続する２ページにおいて、本文１の印字に対して同じ位置関係にある両ページの箇所に印あるいは背景柄８を有する事を特徴とする請求項１〜３に記載の本。
【請求項５】
本の全てのまたは一部の連続する２ページにおいて、綴じ部２に近接した部分に本文１の印刷がなされない本文１空白部を有する事を特徴とする請求項１〜４に記載の本。
【発明の詳細な説明】
【技術分野】
【０００１】この発明は本に関する。
【背景技術】
【０００２】  寝転んだまま読書する際、本の重さや不自然な姿勢から苦痛を感じることがある。その苦痛を解消する為に寝たままで読む為の読書スタンドなどが考案されている。
【先行技術文献】
【特許文献】
【０００３】  特開２００５−４０５５０
【発明の概要】
【発明が解決しようとする課題】
【０００４】  寝ながら本を読む際の姿勢にも仰向け、横向きなどいろいろあるが、ずっと同じ向きで寝ていることはない。多くは寝返りを打って姿勢を変えながら読書する。【０００５】  本を仰向けで見続ける事は難しい。本の重さを手ですべて支えなくてはいけない上にページを繰るという作業が加わるからである。専用のスタンドがあるが読書のたびに本をセットするのは面倒だし、セットした後ページを繰るのもまた面倒である。
結局横向きで読み、時々向きを変える事が多い。
例えば右向きに寝転んで読む場合を考えてみる。本は当然右側にあり、本を開いた状態で左ページ３を読んでいるとする。この時は本の向かって右半分を布団か枕に置き、左半分を主に左手で支えページを開いている状態である。右手は本の中央左寄りに添え、ページを繰るときだけ動かす程度であり、また左手も肘は体の脇あるいは掛布団の上あたりにあるので本を支える事はさほど苦痛ではない。
ところが左ページ３を読み終えページを繰って右ページ４を読む時には楽ではない。左ページ３を読んでいる間は本を置いていられるが、右ページ４を読む時にはそのままでは読めない。読む人は横を向いているのに本の右ページ４は上を向いているからである。そこで結局本をほとんど全部持ち上げて読むしかなく、枕や敷布団に置けるのは本の右半分のしかも右端だけになってしまう。この状態では、うっかり力を抜くと本が閉じてしまうので両手とも力を抜くこともできない。重い本だととても持っては読めないので寝返りを打って左を向き、先程とは逆に本の左側を枕か敷布団に置いて右側のページを読むことになる。この様に特に重たい本の場合はページが進む度に体の向きを変えなくてはならなかった。
問題は他にもあった。横になって読んでいるとページの進み具合とは関係なく寝返りは打ちたくなる。右向きから左向きに寝返りを打ちたいのに、今はまだ左ページ３を読んでいる。左向きに寝返りをして左ページ３を読み続けるには本を持たないといけないので嫌である。けれども寝返りを我慢するのも苦痛である。こんなとき、寝返りを我慢するか本を持つのを我慢するか、どちらにしても我慢になる。
本当なら寝て読書をする事は大変楽な事のはずなのに実際は長い時間続けにくい。これは前述一連の不愉快さによるものである。
右向きに寝て左ページ３を読んでいるときは少なくとも本の幅程度は目とページの間に距離がある。しかし右側のページを読むときには持ちにくいだけではなく目と右ページ４は接近しているので眼に悪い。持ちづらい中で本を支えている状態では目と本の距離まで考えが及びにくいのでこの点からも右向きの時には左ページ３を読む事が望ましい。
前述の状況から、本発明では体がどちらを向いていても楽に読書ができる印刷のパターンを提供する。
【課題を解決するための手段】
【０００６】  この課題を解決するためには、右向に横になっている時に左ページ３を、左向の時には右ページ４を読むというどちらを向いても読みやすいルールの下で、読んでいる内容の連続性が損なわれない仕組みが必要である。
この仕組は各見開きの左右ページに同じ内容１１を印刷することによって提供される。同じページが２つ並んでいると言い換えても良い。どちらを向いていようが、その時に見やすい方のページを選んで読んでいけば読書が完了する。同じ内容１１が印刷されている連続する２ページをページセット１０と呼ぶことにする。
ここでは、同じ内容１１とは本文１の内容が同じである事を指す。各ページセット１０のどちらか１ページを読んでいくことで読書がほぼ完了する構成であれば本発明に属する。従って本文１以外のコメント文や注釈、挿絵、宣伝、写真、ナンバリング、チェック欄メモ欄などの付加的あるいは補助的な情報については内容や配置が必ずしも同じであることを問わない。片方のページだけに掲載されている情報やが多少あったとしても、読書の中心的な流れを担う同じ内容１１が両ページに書かれていれば本発明に属する。本文１を含む配置が異なる場合もありうるが、これらについても前文同様である。
寝返りを打った後、反対側のページに視線を移すが、スムーズに読書を続けるには今まで読んでいた箇所が移動先ですぐに見つかることが必須である。そのためにページをブロック分けしたり移動先の位置がわかるための印（位置特定目印６と呼ぶ）となる柄や模様を施す。
ブロック分けには例えば縦に帯状に（主に縦書きの本で採用し、ここでは縦割りと呼ぶ）、横に帯状に（主に横書きの本で採用しここでは横割りと呼ぶ）、あるいは縦横其々碁盤状に（ここでは碁盤割と呼ぶ）分けることができる。エリアを分割して一目で位置がわかるようにする事が目的なので前述の分割以外でも良い。
どの場合にも寝て読むときに目が楽なように印字は綴じ部２（見開いた状態で中央にあたる部分）の本文空白部分５を通常より広く、本の大きさにもよるが少なくとも３ｃｍ、できれば５ｃｍ以上取ると良い。
見開きではなく１枚の紙の表裏に連続する２ページに同じ内容１１を印刷する事によっても目的はある程度達成できる。しかしこの場合のページセット１０では寝返りをうつと移動先は裏のページとなりページを繰る必要が生じ、さらに例えば和文の縦書き本の場合左向きから右向きに寝返りをうつと後退する方へページを繰らなくてはいけないなど、見開き２ページの方が便利である。
【発明の効果】
【０００７】・寝転んで読書してもで手や肩が疲れにくい。
・読書台などの特別な器具が不要なので手軽に読書できる。
・読書離れを食い止めることができる。
・眠れないからとテレビやパソコンなどの画面を見るとかえって眠れなくなって悪循環に陥る心配もあるが、読書なら自然に眠りにつく事ができるので眠れない人の健康にも貢献する。
・左右に同じ内容１１を印刷するだけなので従来と比較して製本コストは殆ど変わらない。
・読むチャンスが圧倒的に増えるので読書時間も増える。
・今まで十分には読まれなかった本の有効活用となる。
・重たい本でも寝て読むことができる。
【図面の簡単な説明】
【０００８】以下平面図とは本を机などに置いて広げた状態で上から見たものを指す。
【図１】実施例１の平面図。点線で囲ったエリアは本文空白部分５のおよその位置を示す。（他図も同様）
【図２】背景を縦割３列のブロック分けにした実施例２の平面図。明確に表示するため背景ブロック彩色部７をここでははっきりした斜線で示した。
【図３】（ａ）本文１を碁盤割にブロック分けした実施例３の平面図。（ｂ）本文１を文字スタイルを変えることによってブロック分けした実施例３の平面図
【図４】（ａ）星形の背景柄８を位置特定目印６とした実施例４の平面図。明確に表現するため背景柄８を濃い色で示した。（ｂ）本文１中の文字列を位置特定目印６にした実施例４の平面図。
【図５】実施例５の平面図
【発明を実施するための形態】
【実施例１】
【０００９】  図１の様に見開きのページセット１０に同じ内容１１を印刷する。改行や段落まで同じにすることが原則である。ページセット１０には１ページ分の内容が２回書かれているだけなので情報は１ページ分である。したがって従来と比較するとページを繰る回数、ページ数、紙の枚数全てが約倍必要になる。しかし置いて読めるので紙の重さは全く問題はない。見開きの中央にある綴じ部２に近接して本体空白部５を設けてある事により寝て読んでも眼の負担が少ない。
【実施例２】
【００１０】  ページセット１０の両ページを同様にブロック分けする。ブロック分けには、本文１の印刷は従来のままで背景をブロック分けする方法、本文１自体をブロック分けして印刷する方法、そしてそれらを併用する方法が考えられる。どの場合も視線を移した後該当するブロックそのものを見つけることは意識する必要が無いほど容易であり、また同じブロック中のわずか数行から続きを見つけることもごく簡単な作業である。
図２の例は背景だけをブロック分けしブロックの帯を一つおきに彩色する。ブロックの帯と本文１の印字との位置関係が両ページでずれない事が必要である。また、よりわかりやすくするためには背景に彩色する際の色の濃さやブロック分けの帯の幅に気を付ける。
【実施例３】
【００１１】  実施例３は本文１自体をブロック分けした例である。図３ーａには縦横其々２個合計４個の碁盤割ブロック分けした例を示し、更に本例に補助としての点線区切り９と背景ブロック分けの両方を書き加えてある。該補助は一方を用いるだけで効果は十分である。この場合の背景ブロック分けは背景ブロック彩色部分７を両ページに斜めに２つずつ配し本文のブロック分けをより際立たせている。
縦割りのブロック分けでは例えば４行ごとをひとつのブロックとして隣のブロックとの行間を少なくても２行分、望むらくは３行分以上取るとわかりやすい。２色以上の文字色を用い、ブロックごとに文字色やフォント、文字サイズ、文字スタイルを変えるとさらにわかりやすい。
また、段落分けのたびに行間を普通より広く開けたり最初の行だけを太文字で表示してもブロック分けと似た効果がある。必ずしも行間を空けなくてもフォント、太字や斜字などの文字スタイル、あるいは文字色替えなどでブロック分けは可能である。
図３ーｂに文の区切りを意識してブロック分けし一つおきに太字にした例を示した。長い段落を太字エリアを作る事で区切ってやると位置が自然とわかる。本文１をブロック分けする場合、ブロックの大きさを機械的に揃えると分の区切りと不一致となり読みにくい事も考えられるが、段落や改行は従来のままで太字表示にする事によって文章を自然なまま表現できるメリットがある。
本文１自体をブロック分けする方法は背景ブロック彩色部７の印刷も位置合わせの必要も無いので実用的で点線区切り９なども本文１データとして処理すれば従来の印刷と手順は変わらない。
【実施例４】
【００１２】  図４ーａに星の形の背景柄８を散らした例を示した。これらの星柄はデザイン的に配置されているが本文１の印字に対して左右のページで同じ位置にあり位置特定目印６として機能している。星に限らず数字、動物や花、単純に斑や水玉模様などでもよく様々な色を用いるとさらにわかりやすい。また背景にシンプルな顔や地図を大きく描くと位置特定目印６となる。顔は人が認識しやすい対象と言われており、目鼻口を薄く印刷するだけでもよい。
本文１の文字を位置特定目印６とする方法もある。文字を適当な間隔で選び出し、フォント、文字色、太字、アンダーラインなどで目立たせる。段落の最初の一文字や最初の行、また熟語だけをピックアップして太字にしてもよい。行数表示してもよい。図４−ｂに適当な文字列を太字にして位置特定目印６として機能させる例を示した。
文字を位置特定目印６にすれば本文１の印刷だけで本発明を実施でき、背景との位置合わせも不要なので大変実用的である。一定の範囲に必ず目印の文字が入る事によって移動先ページでの位置の特定が容易になる。
【実施例５】
【００１３】  実施例５は単語帳の例である。図５ーａはページセットの内容は同じであるが配置を変えた例である。左右対称にチェック欄などが設けられている。両ページでの配置は異なるがこのどちらのページを学習しても効果は同じで本発明にはこういった例を含める。
図５−ｂはチェック欄をひとつだけにした例である。ページセットの両方にチェック欄があるとチェック機能が果たしにくい可能性があるためで見開き中央に設けても良い。
【符号の説明】
【００１４】１．本文
２．綴じ部
３．左ページ
４．右ページ
５．本文空白部部分
６．位置特定目印
７．背景ブロック彩色部
８．背景柄
９．点線区切り
１０．ページセット
１１．同じ内容
【図１】
2011143700.tif 000003
【図２】
2011143700.tif 000004
【図３】
2011143700.tif 000005
【図４】
2011143700.tif 000006
【図５】
2011143700.tif 000007